(57)【要約】【課題】埋込磁石型のロータにおいて、充填樹脂の接着力に依存せずに永久磁石をロータコアの磁石挿入孔内に適切に保持することができる技術を実現する。【解決手段】回転電機用ロータ１は、軸方向Ｌに貫通する磁石挿入孔１２を有するロータコア１１と、磁石挿入孔１２の内部に配置される永久磁石１３と、磁石挿入孔１２の内面１２Ｆと永久磁石１３の外面１３Ｆとの間に充填される充填樹脂３と、を有している。永久磁石１３は、軸直交断面積が軸方向第１側Ｌ１に向かうに従って小さくなるように形成された第１テーパ状部Ｔ１と、第１テーパ状部Ｔ１よりも軸方向第２側Ｌ２に設けられて、軸直交断面積が軸方向第２側Ｌ２に向かうに従って小さくなるように形成された第２テーパ状部Ｔ２と、を有する。【選択図】図３
2020129872.tif 000002
【特許請求の範囲】
【請求項１】
軸方向に貫通する磁石挿入孔を有する円筒状のロータコアと、
前記磁石挿入孔の内部に配置される永久磁石と、
前記磁石挿入孔の内面と前記永久磁石の外面との間に充填される充填樹脂と、を有し、
前記軸方向の一方側を軸方向第１側とし、前記軸方向の他方側を軸方向第２側として、
前記永久磁石は、前記軸方向に直交する断面の面積である軸直交断面積が前記軸方向第１側に向かうに従って小さくなるように形成された第１テーパ状部と、前記第１テーパ状部よりも前記軸方向第２側に設けられて、前記軸直交断面積が前記軸方向第２側に向かうに従って小さくなるように形成された第２テーパ状部と、を有する、回転電機用ロータ。
【請求項２】
前記充填樹脂が、熱可塑性樹脂である、請求項１に記載の回転電機用ロータ。
【請求項３】
前記永久磁石は、互いに反対側を向く一対の磁極面と、互いに反対側を向く一対の非磁極面と、を有し、
前記第１テーパ状部および前記第２テーパ状部は、前記軸方向に直交する断面に沿う一対の前記非磁極面の間隔が前記軸方向の端部側へ向かうに従って小さくなるように形成されている、請求項１又は２に記載の回転電機用ロータ。
【請求項４】
前記磁石挿入孔に隣接すると共に当該磁石挿入孔と連続する磁束制限孔部が設けられ、
前記第１テーパ状部および前記第２テーパ状部は、前記永久磁石における前記磁束制限孔部に対向する面を、前記軸方向の端部側へ向かうに従って前記磁束制限孔部から離れる方向に傾斜させて形成されている、請求項１から３のいずれか一項に記載の回転電機用ロータ。
【請求項５】
前記ロータコアは、厚み方向に貫通する孔部を有する薄板を前記軸方向に複数枚積層して構成され、
前記磁石挿入孔は、複数の前記孔部が前記軸方向に並んで構成されている、請求項１から４のいずれか一項に記載の回転電機用ロータ。
【請求項６】
前記第１テーパ状部および前記第２テーパ状部のそれぞれの外面を形成するテーパ面の法線が前記軸方向に対してなす角度が、４５°より大きい、請求項１から５のいずれか一項に記載の回転電機用ロータ。
【発明の詳細な説明】
【技術分野】
【０００１】
本発明は、回転電機用ロータに関する。
【背景技術】
【０００２】
例えば特開２０１６−１２９４８４号公報（特許文献１）には、埋込磁石型の回転電機に用いられる回転電機用ロータが開示されている。特許文献１の技術では、ロータコア（回転子積層鉄心１２）の磁石挿入孔（磁石挿入孔１３）に充填樹脂（熱硬化性樹脂１５）を注入することで、磁石挿入孔内に永久磁石（永久磁石１４）を保持する構成となっている（背景技術の説明において括弧内に示される部材名及び符号は、特許文献１のものである。）。
【先行技術文献】
【特許文献】
【０００３】
【特許文献１】特開２０１６−１２９４８４号公報
【発明の概要】
【発明が解決しようとする課題】
【０００４】
特許文献１のような技術では、ロータコアを軸方向に貫通する磁石挿入孔に、軸方向に沿って延在する直方体状の永久磁石を配置しているため、磁石挿入孔内における永久磁石と充填樹脂との接触面が、軸方向に沿って形成されている。すなわち、永久磁石の外面とロータコアの磁石挿入孔の内面との間の保持力は、充填樹脂の接着力によって得られる構成となっている。このような構成においては、永久磁石をロータコアの磁石挿入孔内に保持するための保持力を適切に確保するためには、充填樹脂として接着力が比較的高い樹脂を用いる必要があった。特許文献１には、このような充填樹脂として熱硬化性樹脂を用いることが記載されている。このように、充填樹脂として接着力が比較的高い樹脂を用いる必要があるという制約があると、充填樹脂に要求される他の特性等に関して妥協する必要が生じる可能性があった。
【０００５】
そこで、埋込磁石型のロータにおいて、充填樹脂の接着力に依存せずに永久磁石をロータコアの磁石挿入孔内に適切に保持することができる技術の実現が求められている。
【課題を解決するための手段】
【０００６】
上記に鑑みた回転電機用ロータの特徴構成は、
軸方向に貫通する磁石挿入孔を有する円筒状のロータコアと、
前記磁石挿入孔の内部に配置される永久磁石と、
前記磁石挿入孔の内面と前記永久磁石の外面との間に充填される充填樹脂と、を有し、
前記軸方向の一方側を軸方向第１側とし、前記軸方向の他方側を軸方向第２側として、
前記永久磁石は、前記軸方向に直交する断面の面積である軸直交断面積が前記軸方向第１側に向かうに従って小さくなるように形成された第１テーパ状部と、前記第１テーパ状部よりも前記軸方向第２側に設けられて、前記軸直交断面積が前記軸方向第２側に向かうに従って小さくなるように形成された第２テーパ状部と、を有する点にある。
【０００７】
本構成によれば、ロータコアに対して軸方向第１側に相対移動する方向の力が永久磁石に作用した場合には、第１テーパ状部の外面と磁石挿入孔の内面との間に充填された充填樹脂が、第１テーパ状部の外面と磁石挿入孔の内面との間で圧縮される。これにより、第１テーパ状部の外面は、前記圧縮に対する反力を充填樹脂から受けることになり、当該充填樹脂からの反力には軸方向第２側へ向かう力も含まれるため、永久磁石が軸方向第１側に移動することが規制される。同様に、ロータコアに対して軸方向第２側に相対移動する方向の力が永久磁石に作用した場合には、第２テーパ状部の外面と磁石挿入孔の内面との間に充填された充填樹脂が、第２テーパ状部の外面と磁石挿入孔の内面との間で圧縮される。これにより、第２テーパ状部の外面は、前記圧縮に対する反力を充填樹脂から受けることになり、当該充填樹脂からの反力には軸方向第１側へ向かう力も含まれるため、永久磁石が軸方向第２側に移動することが規制される。従って、本構成によれば、永久磁石をロータコアの磁石挿入孔内に適切に保持することができる。
また、本構成によれば、充填樹脂への圧縮に対する反力を用いて磁石挿入孔内での永久磁石の保持を行うため、永久磁石をロータコアの磁石挿入孔内に保持する保持力を、充填樹脂の接着力に依存することなく適切に確保することができる。
【０００８】
本開示に係る技術のさらなる特徴と利点は、図面を参照して記述する以下の例示的かつ非限定的な実施形態の説明によってより明確になるであろう。
【図面の簡単な説明】
【０００９】
【図１】回転電機用ロータが実装された回転電機の一例を示す軸方向視図
【図２】回転電機用ロータの要部を示す軸方向視図
【図３】図２におけるＩＩＩ−ＩＩＩ断面図
【図４】図３における要部を模式的に示す拡大図
【図５】その他の実施形態に係る回転電機用ロータを軸方向面で切断した断面図
【図６】その他の実施形態に係る回転電機用ロータの要部を示す軸方向視図
【発明を実施するための形態】
【００１０】
以下、回転電機用ロータ（以下単に「ロータ」と称することがある。）の実施形態について図面を参照して説明する。
【００１１】
〔回転電機の概略構成〕
図１には、本実施形態に係るロータ１を備えた回転電機１００が示されている。なお、図１では、回転電機１００に含まれ得る一部の構成要素（例えば、シャフト、エンドプレート等）を省略して示している。
【００１２】
本願において「回転電機」は、モータ（電動機）、ジェネレータ（発電機）、及び必要に応じてモータ及びジェネレータの双方の機能を果たすモータ・ジェネレータのいずれをも含む概念として用いている。
【００１３】
回転電機１００は、ロータ１とステータ２とを備えている。ロータ１は、永久磁石１３を備え、ステータ２が発生させた回転磁界によって回転するように構成されている。本明細書では、ロータ１の回転軸心ＡＸを基準に、軸方向Ｌ、径方向Ｒ、及び、周方向Ｃを定義するものとする。軸方向Ｌについては、軸方向Ｌの一方側を軸方向第１側Ｌ１とし、軸方向Ｌの他方側を軸方向第２側Ｌ２とする（図３参照）。径方向Ｒについては、径方向Ｒの外側（回転軸心ＡＸから遠ざかる側）を径方向外側Ｒｏとし、その反対側（回転軸心ＡＸに接近する側）を径方向内側Ｒｉとする。本明細書では、各部材についての寸法、配置方向、配置位置等に関する用語は、誤差（製造上許容され得る程度の誤差）による差異を有する状態をも含む概念として用いている。
【００１４】
図１に示すように、ロータ１は、ロータコア１１の内部に埋め込まれた永久磁石１３を備えており、例えば、埋込磁石型の同期モータ（ＩＰＭＳＭ：Interior Permanent Magnet Synchronous Motor）に用いられる。図１には、ロータ１がステータ２に対して径方向内側Ｒｉに配置された、いわゆるインナーロータ型の回転電機１００が例示されている。但し、図示の例に限定されることなく、ロータ１は、当該ロータ１がステータ２に対して径方向外側Ｒｏに配置された、いわゆるアウタロータ型の回転電機に用いられても良い。
【００１５】
ロータ１は、軸方向Ｌに貫通する磁石挿入孔１２を有する円筒状のロータコア１１と、磁石挿入孔１２の内部に配置される永久磁石１３と、を有している。また、ロータ１は、その他にも、不図示のシャフト等を有している。なお、磁石挿入孔１２は、内部に永久磁石１３が配置されることから、磁石配置孔と称することもできる。
【００１６】
図３及び図４に示すように、本実施形態では、ロータコア１１は、厚み方向に貫通する孔部１２ａを有する薄板１１ａ（例えば電磁鋼板）を軸方向Ｌに複数枚積層して構成されており、磁石挿入孔１２は、複数の孔部１２ａが軸方向Ｌに並んで構成されている。本例では、薄板１１ａは、中央部に孔が設けられた円環板状とされている。よって、ロータコア１１は円筒状とされている。但し、このような構成に限定されることなく、ロータコア１１は、粉状の磁性体を加圧成形してなる圧粉材を主な構成要素とする、いわゆる圧粉コアとして構成されていても良い。この場合、磁石挿入孔１２は、圧粉コアを軸方向Ｌに貫通する１つの孔によって構成されていても良い。
【００１７】
永久磁石１３が挿入される磁石挿入孔１２は、図１に示すように、周方向Ｃに複数個並んで配置される。そして、磁石挿入孔１２は、周方向Ｃに一定の間隔で配置される。図示の例では、ロータコア１１には、８つの磁石挿入孔１２が設けられており、それぞれの磁石挿入孔１２の内部に永久磁石１３が配置されている。また、８つの永久磁石１３は、周方向Ｃに隣り合うもの同士が互いに反対の極性を径方向外側Ｒｏへ向けるように配置されている。すなわち本実施形態では、ロータ１は、８つの磁極を有しており、１つの磁極に対して１つの永久磁石１３が配置されている。但し、このような構成に限定されることなく、ロータ１の磁極数は任意の偶数に設定することができる。なお本例では、磁石挿入孔１２のそれぞれは、互いに同一の形状を有している。
【００１８】
ステータ２は、ステータコア２１とステータコイル２２とを有している。ステータコア２１は、例えば複数枚の円環板状の薄板（例えば電磁鋼板）が軸方向Ｌに積層された略円柱状に形成されており、本例では、ロータ１の径方向外側Ｒｏに配置されている。ステータコア２１の内周面側（径方向内側Ｒｉ）には、周方向Ｃに一定間隔で複数のティース２３が形成されている。周方向Ｃに隣り合う一対のティース２３の間には、溝状のスロット２４が形成されている。ステータコイル２２は、これら複数のスロット２４内に収容される部分を有するように、ステータコア２１に巻装される。ステータコイル２２に対して、互いに位相が異なる複数相（例えば３相）の交流が通電されることで、ステータ２は磁束（回転磁界）を発生させる。
【００１９】
〔回転電機用ロータの詳細構成〕
次に、ロータ１（回転電機用ロータ）の詳細構成について説明する。
【００２０】
上述のように、ロータ１は、ロータコア１１と、ロータコア１１を軸方向Ｌに貫通する磁石挿入孔１２と、磁石挿入孔１２の内部に配置される永久磁石１３と、を有している。そして、図２及び図３に示すように、ロータ１は、磁石挿入孔１２の内面１２Ｆと永久磁石１３の外面１３Ｆとの間に充填される充填樹脂３を有している。充填樹脂３によって、永久磁石１３が磁石挿入孔１２内に保持される。また、本例では、ロータ１には、磁石挿入孔１２に隣接すると共に当該磁石挿入孔１２と連続する磁束制限孔部１４が設けられている。磁束制限孔部１４は、磁石挿入孔１２に隣接すると共に磁石挿入孔１２と連通するように構成されており、ロータコア１１を軸方向Ｌに貫通している。磁束制限孔部１４は、永久磁石１３の漏れ磁束を低減するために設けられている。なお、図１及び図２は、ロータ１における軸方向第１側Ｌ１の面を示している。また、図２では、ステータ２を省略している。
【００２１】
上述のように、本例では、磁石挿入孔１２が、軸方向Ｌに並ぶ複数の孔部１２ａによって構成されているため、磁石挿入孔１２の内面１２Ｆは、軸方向Ｌに沿って凹凸が形成された凹凸面となっている（図４参照）。そのため、磁石挿入孔１２に充填された樹脂は、磁石挿入孔１２の内面１２Ｆの凹凸に適合するように各部に浸入する。これにより、充填後の充填樹脂３が硬化した後は、充填樹脂３が磁石挿入孔１２の内面１２Ｆの凹凸に係合した状態となるため、磁石挿入孔１２の内面１２Ｆに対して充填樹脂３が軸方向Ｌに相対移動することを規制できる。なお、ロータコア１１が圧粉コアとして構成される場合であっても、磁石挿入孔１２の内面１２Ｆは、粉体の粒子が表面に表れた凹凸面となり、上記と同様の効果を奏する。一方で、永久磁石１３の外面１３Ｆは、表面処理等が施されることによって平滑な面とされていることが多い。このような磁石挿入孔１２の内面１２Ｆと永久磁石１３の外面１３Ｆとの間に、充填樹脂３が充填されている。
【００２２】
ここで、充填樹脂３として用いることが可能な樹脂には、いくつかの種類があり、樹脂の種類によってその特性も異なる。例えば、樹脂の種類によって、接着力、粘度、硬化方法、更には原材料費等が異なる。充填樹脂３として、例えば熱硬化性樹脂を用いる場合には、比較的接着力に優れ、永久磁石１３の保持力を確保するのに有利である。しかしながら、熱硬化性樹脂は、一般的に、熱可塑性樹脂に比べて溶融状態での粘度が低いため、樹脂の充填圧によっては、ロータコア１１を構成する複数枚の薄板１１ａの間に樹脂が浸入する可能性がある。そのため、充填中にロータコア１１を軸方向Ｌに押圧する工程や、不要な箇所に樹脂が浸入しないようにするためにロータコア１１を保持治具によって保持する工程等の補助工程が必要となることがある。また、熱硬化性樹脂は、熱可塑性樹脂に比べて原材料費が高価となる傾向がある。更には、硬化温度等との関係から、充填前にロータコア１１を加熱する予熱工程が必要となる場合もある。これらのことから、充填樹脂３として熱硬化性樹脂を用いた場合には、ロータ１の製造コストが高くなり易かった。これに対し、熱可塑性樹脂は、一般的に、熱硬化性樹脂に比べて粘度が高いため、上記のような補助工程を削減或いは不要とすることが可能となる。また、熱可塑性樹脂は、材料コストも、熱硬化性樹脂に比べて低い傾向がある。よって、充填樹脂３として熱可塑性樹脂を用いることで、ロータ１の製造コストを低減できる可能性がある。また、熱可塑性樹脂に限らず、充填樹脂３に求められる接着力の要件を緩和できるようにすることで、製造コストを低減したり、製造コストを増加させることなく他の特性を向上させたり、或いは、それらの双方を実現したりすることが可能となる。
【００２３】
これらのことに鑑みて、本実施形態に係るロータ１は、充填樹脂３の接着力に依存せずに永久磁石１３をロータコア１１の磁石挿入孔１２内に適切に保持することを可能とする構成を備えている。
【００２４】
具体的には、図２及び図３に示すように、永久磁石１３は、軸方向Ｌに直交する断面の面積である軸直交断面積が軸方向第１側Ｌ１に向かうに従って小さくなるように形成された第１テーパ状部Ｔ１と、第１テーパ状部Ｔ１よりも軸方向第２側Ｌ２に設けられて、軸直交断面積が軸方向第２側Ｌ２に向かうに従って小さくなるように形成された第２テーパ状部Ｔ２と、を有している。
【００２５】
この構成により、図４に示すように、例えば、ロータコア１１に対して軸方向第１側Ｌ１に相対移動する方向の力（軸方向力Ｆ）が永久磁石１３に作用した場合には、永久磁石１３の外面１３Ｆの一部である第１テーパ状部Ｔ１のテーパ面Ｆｔと磁石挿入孔１２の内面１２Ｆとの間に充填された充填樹脂３に圧縮力ｆｃが作用する。そして、当該充填樹脂３が上記テーパ面Ｆｔと磁石挿入孔１２の内面１２Ｆとの間で圧縮される。これにより、第１テーパ状部Ｔ１のテーパ面Ｆｔは、上記の圧縮力ｆｃに対する反力ｆｒを充填樹脂３から受けることになる。当該充填樹脂３からの反力ｆｒには軸方向第２側Ｌ２へ向かう力が含まれるため、永久磁石１３が軸方向第１側Ｌ１に移動することが規制される。そして、図示は省略するが、軸方向力Ｆが軸方向第２側Ｌ２へ向かう方向に作用した場合にも、上記同様に、第２テーパ状部Ｔ２によって永久磁石１３が軸方向第２側Ｌ２に移動することが規制される。従って、上記構成によれば、永久磁石１３をロータコア１１の磁石挿入孔１２内に保持する保持力を、充填樹脂３の接着力に依存することなく適切に確保することができる。よって、永久磁石１３を磁石挿入孔１２内に適切に保持することが可能となる。
【００２６】
例えば、第１テーパ状部Ｔ１および第２テーパ状部Ｔ２は、直方体状の永久磁石１３の一部を切削等によって加工することで形成できる。本実施形態では、第１テーパ状部Ｔ１は、永久磁石１３における軸方向第１側Ｌ１の端面を含む端部領域に設けられている。第２テーパ状部Ｔ２は、永久磁石１３における軸方向第２側Ｌ２の端面を含む端部領域に設けられている。これにより、テーパ状部（第１テーパ状部Ｔ１または第２テーパ状部Ｔ２）を永久磁石１３における軸方向Ｌの中央側に寄せて設ける場合に比べて、永久磁石１３にテーパ状部（第１テーパ状部Ｔ１または第２テーパ状部Ｔ２）を形成するために永久磁石１３を切除する部分を少なくすることができる。従って、これらのテーパ状部（第１テーパ状部Ｔ１または第２テーパ状部Ｔ２）の加工が容易となると共に、永久磁石１３の体積の減少を少なく抑えて永久磁石１３の性能を確保し易くできる。
【００２７】
本実施形態では、磁石挿入孔１２の内面１２Ｆと永久磁石１３の外面１３Ｆとの間に充填される充填樹脂３として、熱可塑性樹脂を用いる。一般的に、熱可塑性樹脂は、熱硬化性樹脂に比べて接着力が低い傾向にある。しかしながら、上述のように、充填樹脂３への圧縮力ｆｃに対する反力ｆｒを用いて磁石挿入孔１２内での永久磁石１３の保持を行うことにより、充填樹脂３として比較的接着力が低い熱可塑性樹脂を用いても、磁石挿入孔１２（ロータコア１１）に対する永久磁石１３の保持力を適切に確保することができる。
【００２８】
図２に示すように、永久磁石１３は、磁極面Ｆｍと非磁極面Ｆｎとを有している。ここで、「磁極面Ｆｍ」とは、永久磁石１３が磁化されている磁化方向（着磁方向）に対して交差する面をいい、永久磁石１３の磁束が主に出入りする面である。一対の磁極面Ｆｍの一方がＮ極となり、他方がＳ極となる。また、「非磁極面Ｆｎ」とは、磁化方向に沿う面であり、磁極面Ｆｍに対して磁束の出入りが少ない面である。
【００２９】
本実施形態では、永久磁石１３は、互いに反対側を向く一対の磁極面Ｆｍと、互いに反対側を向く一対の非磁極面Ｆｎと、を有している。本例では、永久磁石１３は、軸方向Ｌに直交する方向の断面である軸直交断面が矩形状となっている。ここで矩形状とは、一部又は全部の角部に面取りが形成されている形状を含む。また、一対の磁極面Ｆｍは、径方向Ｒにおいて互いに反対側を向いており、磁極面Ｆｍの一方は径方向内側Ｒｉ、他方は径方向外側Ｒｏを向いている。そして、一対の非磁極面Ｆｎは、磁極面Ｆｍに対して直交する面により構成されている。
【００３０】
図２及び図３に示すように、本実施形態では、第１テーパ状部Ｔ１および第２テーパ状部Ｔ２は、軸方向Ｌに直交する断面に沿う一対の非磁極面Ｆｎの間隔が軸方向Ｌの端部側へ向かうに従って小さくなるように形成されている。すなわち、第１テーパ状部Ｔ１は、一対の非磁極面Ｆｎの間隔が軸方向第１側Ｌ１に向かうに従って小さくなるように形成されている。第２テーパ状部Ｔ２は、一対の非磁極面Ｆｎの間隔が軸方向第２側Ｌ２に向かうに従って小さくなるように形成されている。一方、本例では、一対の磁極面Ｆｍの間隔は、軸方向Ｌの位置に関わらず一定となっている。これにより、磁極面Ｆｍの間隔が狭くなることによる永久磁石１３の磁力（磁束密度）の低下を抑制しつつ、第１テーパ状部Ｔ１および第２テーパ状部Ｔ２を適切に形成することができている。
【００３１】
また、上述のように本実施形態では、ロータ１には、磁石挿入孔１２と連続する磁束制限孔部１４が設けられている。図示の例では、一対の磁束制限孔部１４が、磁石挿入孔１２を挟んで周方向Ｃの両側に配置されている（図２参照）。そして、本例では、第１テーパ状部Ｔ１および第２テーパ状部Ｔ２は、永久磁石１３における磁束制限孔部１４に対向する面を、軸方向Ｌの端部側へ向かうに従って磁束制限孔部１４から離れる方向に傾斜させて形成されている。すなわち、第１テーパ状部Ｔ１は、磁束制限孔部１４に対向する面を、軸方向第１側Ｌ１に向かうに従って磁束制限孔部１４から離れる方向（永久磁石１３の軸直交断面の重心に近づく方向）に傾斜させて形成されている。第２テーパ状部Ｔ２は、磁束制限孔部１４に対向する面を、軸方向第２側Ｌ２に向かうに従って磁束制限孔部１４から離れる方向（永久磁石１３の軸直交断面の重心に近づく方向）に傾斜させて形成されている。ここで、永久磁石１３の磁束制限孔部１４に対向する面は、通常、非磁極面Ｆｎとされる。一方、本例では、永久磁石１３における磁束制限孔部１４に対向する面以外の面は、軸方向Ｌに対して平行に形成されている。ここで、永久磁石１３の磁束制限孔部１４に対向する面以外の面は、通常、磁極面Ｆｍとされる。
【００３２】
図４に示すように、本実施形態では、第１テーパ状部Ｔ１および第２テーパ状部Ｔ２のそれぞれの外面１３Ｆを形成するテーパ面Ｆｔの法線Ｌｔが軸方向Ｌに対してなす角度（以下、テーパ角θｔという。）が、４５°より大きく設定されている。本例では、テーパ角θｔが、４５°よりも大きく、かつ、９０°よりも小さくなるように設定されている。このように設定することにより、永久磁石１３に軸方向Ｌの力Ｆが作用した場合に、テーパ面Ｆｔと磁石挿入孔１２の内面１２Ｆとの間において充填樹脂３に作用する圧縮力ｆｃに占める軸方向Ｌの力の割合を、軸方向Ｌに直交する方向の力よりも少なくすることができる。このように、充填樹脂３におけるテーパ面Ｆｔに対向する部分に対して作用する軸方向Ｌのせん断力を比較的小さく抑え、軸方向Ｌに直交する方向の圧縮力を比較的大きくすることにより、充填樹脂３が塑性変形したり破断したりする可能性を低減することができる。
【００３３】
〔その他の実施形態〕
次に、回転電機用ロータのその他の実施形態について説明する。
【００３４】
（１）上記の実施形態では、第１テーパ状部Ｔ１が、永久磁石１３における軸方向第１側Ｌ１の端面を含む端部領域に設けられており、第２テーパ状部Ｔ２が、永久磁石１３における軸方向第２側Ｌ２の端面を含む端部領域に設けられている例について説明した。しかし、このような例に限定されることなく、例えば図５に示すように、第１テーパ状部Ｔ１および第２テーパ状部Ｔ２の少なくとも一方（図示の例では双方）を、永久磁石１３における軸方向Ｌの端面から軸方向Ｌの中央側に離れた領域に設けても良い。
【００３５】
（２）上記の実施形態では、永久磁石１３の磁極面Ｆｍが径方向Ｒに対して直交するように配置された構成を例として説明したが、これには限定されない。一対の磁極面Ｆｍが、径方向Ｒに直交する方向に対して傾斜するように配置されていても良い。また、上記の実施形態では、周方向Ｃに複数個並んで配置された複数の永久磁石１３のそれぞれがロータ１の磁極を構成している場合を例としてしたが、これには限定されない。ロータ１の磁極のそれぞれが複数の永久磁石１３の組み合わせにより構成されていても良い。例えば図６に示すように、１つの磁極に対して、２つの永久磁石１３が配置されていても良い。図示の例では、１つの磁極を構成する２つの永久磁石１３は、当該２つの永久磁石１３の周方向Ｃの間隔が径方向外側Ｒｏに向かうに従って広がるＶ字状を成すように配置されている。なお、１つの磁極に対して、３つ以上の永久磁石１３が配置されていても良い。また、永久磁石１３を配置する向きや各永久磁石１３の形状についても適宜変更可能である。
【００３６】
（３）上記の実施形態では、永久磁石１３の軸直交断面の形状が矩形状である構成を例として説明したが、これには限定されない。一対の磁極面Ｆｍと一対の非磁極面Ｆｎとが直交せず、断面が台形状や平行四辺形状とされていても良い。或いは、永久磁石１３の軸直交断面の形状が、円弧状、半円状等とされていてもよい。
【００３７】
（４）上記の実施形態では、充填樹脂３として熱可塑性樹脂を用いる例について説明した。しかし、このような例に限定されることなく、充填樹脂３として、例えば熱硬化性樹脂を用いても良い。充填樹脂３としては、必要とされる特性に応じて、公知の各種の樹脂を用いることができる。
【００３８】
（５）上記の実施形態では、第１テーパ状部Ｔ１および第２テーパ状部Ｔ２が、軸方向Ｌに直交する断面に沿う一対の非磁極面Ｆｎの間隔が軸方向Ｌの端部側へ向かうに従って小さくなるように形成されている例について説明した。しかし、このような例に限定されることなく、軸方向Ｌに直交する断面に沿う一対の磁極面Ｆｍの間隔が軸方向Ｌの端部側へ向かうに従って小さくなるように、第１テーパ状部Ｔ１および第２テーパ状部Ｔ２の少なくとも一方が形成されていても良い。この場合において、一対の非磁極面Ｆｎの間隔が軸方向Ｌの端部側へ向かうに従って小さくなるように形成されていても良いし、一対の非磁極面Ｆｎの間隔が軸方向Ｌの位置に関わらず一定となっていても良い。
【００３９】
（６）上記の実施形態では、第１テーパ状部Ｔ１および第２テーパ状部Ｔ２が、永久磁石１３における磁束制限孔部１４に対向する面を、軸方向Ｌの端部側へ向かうに従って磁束制限孔部１４から離れる方向に傾斜させて形成されている例について説明した。しかし、このような例に限定されることなく、永久磁石１３における磁束制限孔部１４に対向する面以外の面（磁極面Ｆｍ）を磁石挿入孔１２の内面１２Ｆから離れる方向に傾斜させて、第１テーパ状部Ｔ１および第２テーパ状部Ｔ２の少なくとも一方が形成されていても良い。この場合において、永久磁石１３における磁束制限孔部１４に対向する面が、軸方向Ｌの端部側へ向かうに従って磁束制限孔部１４から離れる方向に傾斜させて形成されていても良いし、永久磁石１３における磁束制限孔部１４に対向する面が軸方向Ｌに対して平行に形成されていても良い。
【００４０】
（７）上記の実施形態では、第１テーパ状部Ｔ１および第２テーパ状部Ｔ２のそれぞれの外面１３Ｆを形成するテーパ面Ｆｔの法線Ｌｔが軸方向Ｌに対してなす角度（テーパ角θｔ）が、４５°より大きく設定されている例について説明した。しかし、このような例に限定されることなく、第１テーパ状部Ｔ１および第２テーパ状部Ｔ２の少なくとも一方のテーパ角θｔが、４５°に設定されていても良い。或いは、第１テーパ状部Ｔ１および第２テーパ状部Ｔ２の少なくとも一方のテーパ角θｔが４５°より小さく、かつ、０°よりも大きく設定されていても良い。
【００４１】
（８）なお、上述した各実施形態で開示された構成は、矛盾が生じない限り、他の実施形態で開示された構成と組み合わせて適用することも可能である。その他の構成に関しても、本明細書において開示された実施形態は全ての点で単なる例示に過ぎない。従って、本開示の趣旨を逸脱しない範囲内で、適宜、種々の改変を行うことが可能である。
【００４２】
〔上記実施形態の概要〕
以下、上記において説明した回転電機用ロータついて説明する。
【００４３】
回転電機用ロータ（１）は、
軸方向（Ｌ）に貫通する磁石挿入孔（１２）を有する円筒状のロータコア（１１）と、
前記磁石挿入孔（１２）の内部に配置される永久磁石（１３）と、
前記磁石挿入孔（１２）の内面（１２Ｆ）と前記永久磁石（１３）の外面（１３Ｆ）との間に充填される充填樹脂（３）と、を有し、
前記軸方向（Ｌ）の一方側を軸方向第１側（Ｌ１）とし、前記軸方向（Ｌ）の他方側を軸方向第２側（Ｌ２）として、
前記永久磁石（１３）は、前記軸方向（Ｌ）に直交する断面の面積である軸直交断面積が前記軸方向第１側（Ｌ１）に向かうに従って小さくなるように形成された第１テーパ状部（Ｔ１）と、前記第１テーパ状部（Ｔ１）よりも前記軸方向第２側（Ｌ２）に設けられて、前記軸直交断面積が前記軸方向第２側（Ｌ２）に向かうに従って小さくなるように形成された第２テーパ状部（Ｔ２）と、を有する。
【００４４】
本構成によれば、ロータコア（１１）に対して軸方向第１側（Ｌ１）に相対移動する方向の力（Ｆ）が永久磁石に作用した場合には、第１テーパ状部（Ｔ１）の外面（１３Ｆ）と磁石挿入孔（１２）の内面（１２Ｆ）との間に充填された充填樹脂（３）が、第１テーパ状部（Ｔ１）の外面（１３Ｆ）と磁石挿入孔（１２）の内面（１２Ｆ）との間で圧縮される。これにより、第１テーパ状部（Ｔ１）の外面（１３Ｆ）は、前記圧縮に対する反力（ｆｒ）を充填樹脂（３）から受けることになり、当該充填樹脂（３）からの反力（ｆｒ）には軸方向第２側（Ｌ２）へ向かう力も含まれるため、永久磁石（１３）が軸方向第１側（Ｌ１）に移動することが規制される。同様に、ロータコア（１１）に対して軸方向第２側（Ｌ２）に相対移動する方向の力（Ｆ）が永久磁石（１３）に作用した場合には、第２テーパ状部（Ｔ２）の外面（１３Ｆ）と磁石挿入孔（１２）の内面（１２Ｆ）との間に充填された充填樹脂（３）が、第２テーパ状部（Ｔ２）の外面（１３Ｆ）と磁石挿入孔（１２）の内面（１２Ｆ）との間で圧縮される。これにより、第２テーパ状部（Ｔ２）の外面（１３Ｆ）は、前記圧縮に対する反力（ｆｒ）を充填樹脂（３）から受けることになり、当該充填樹脂（３）からの反力（ｆｒ）には軸方向第１側（Ｌ１）へ向かう力も含まれるため、永久磁石（１３）が軸方向第２側（Ｌ２）に移動することが規制される。従って、本構成によれば、永久磁石（１３）をロータコア（１１）の磁石挿入孔（１２）内に適切に保持することができる。
また、本構成によれば、充填樹脂（３）への圧縮に対する反力（ｆｒ）を用いて磁石挿入孔（１２）内での永久磁石（１３）の保持を行うため、永久磁石（１３）をロータコア（１１）の磁石挿入孔（１２）内に保持する保持力を、充填樹脂（３）の接着力に依存することなく適切に確保することができる。
また、通常、接着力の小さい樹脂を使用する場合には、樹脂を高い充填圧で充填して、充填後の樹脂の内圧によって生じる樹脂と永久磁石との摩擦力及び樹脂と磁石挿入孔の内面との摩擦力を大きくすることで、磁石挿入孔（１２）内での永久磁石（１３）の保持を行う必要がある。しかし、本構成によれば、充填樹脂（３）への圧縮に対する反力（ｆｒ）を用いて磁石挿入孔（１２）内での永久磁石（１３）の保持を行うことから、上記のような大きな摩擦力を必要としないので、低い充填圧で樹脂を充填することができる。これにより高い充填圧に耐えるようにロータコア（１１）の剛性を確保しなればならないという、設計上の制限を低くすることができ、設計の自由度が高まるので効率の良いロータコア（１１）とすることが出来る。
【００４５】
ここで、
前記充填樹脂（３）が、熱可塑性樹脂であると好適である。
【００４６】
一般的に、熱硬化性樹脂は、熱可塑性樹脂に比べて接着力が高いが、比較的高価であり、また溶融状態での粘性が低いという傾向がある。そのため、充填樹脂（３）として熱硬化性樹脂を用いる場合には、ロータコア（１１）を構成する複数枚の積層板の隙間等の不要な隙間に充填樹脂（３）が浸入することを抑制するために、ロータコア（１１）を保持治具によって保持したり、充填樹脂（３）の充填中にロータコア（１１）を軸方向（Ｌ）に押圧したりする補助工程が必要となる場合があった。また、充填樹脂（３）の原材料費が高くなることもあり、ロータ（１）の製造コストも高くなり易かった。しかし、本構成によれば、充填樹脂（３）として熱可塑性樹脂を用いるため、上記のような補助工程を無くすことが可能となり、更には充填樹脂（３）の原材料費を低く抑えることができるため、ロータ（１）の製造コストを低減することができる。また、本構成によれば、上記のとおり、充填樹脂（３）への圧縮に対する反力（ｆｒ）を用いて磁石挿入孔（１２）内での永久磁石（１３）の保持を行うため、接着力が比較的低い熱可塑性樹脂を充填樹脂（３）として用いても、永久磁石（１３）をロータコア（１１）の磁石挿入孔（１２）内に保持する保持力を適切に確保することができる。
【００４７】
また、
前記永久磁石（１３）は、互いに反対側を向く一対の磁極面（Ｆｍ）と、互いに反対側を向く一対の非磁極面（Ｆｎ）と、を有し、
前記第１テーパ状部（Ｔ１）および前記第２テーパ状部（Ｔ２）は、前記軸方向（Ｌ）に直交する断面に沿う一対の前記非磁極面（Ｆｎ）の間隔が前記軸方向（Ｌ）の端部側へ向かうに従って小さくなるように形成されていると好適である。
【００４８】
一般的に、永久磁石（１３）の一対の磁極面（Ｆｍ）の間隔が小さくなるに従って、永久磁石（１３）の磁力（磁束密度）が低下する傾向がある。本構成によれば、一対の非磁極面（Ｆｎ）の間隔を軸方向（Ｌ）の端部側へ向かうに従って小さくすることで第１テーパ状部（Ｔ１）および第２テーパ状部（Ｔ２）を形成するため、一対の磁極面（Ｆｍ）の間隔を大きく確保し易い。そのため、第１テーパ状部（Ｔ１）および第２テーパ状部（Ｔ２）を形成したことによる永久磁石（１３）の磁力の低下を少なく抑えることができる。
【００４９】
また、
前記磁石挿入孔（１２）に隣接すると共に当該磁石挿入孔（１２）と連続する磁束制限孔部（１４）が設けられ、
前記第１テーパ状部（Ｔ１）および前記第２テーパ状部（Ｔ２）は、前記永久磁石（１３）における前記磁束制限孔部（１４）に対向する面（Ｆｎ）を、前記軸方向（Ｌ）の端部側へ向かうに従って前記磁束制限孔部（１４）から離れる方向に傾斜させて形成されていると好適である。
【００５０】
一般的に、永久磁石（１３）の一対の磁極面（Ｆｍ）の間隔が小さくなるに従って、永久磁石（１３）の磁力（磁束密度）が低下する傾向がある。また、磁石挿入孔（１２）に隣接する磁束制限孔部（１４）は、通常、永久磁石（１３）の非磁極面（Ｆｎ）に対向するように配置される。本構成によれば、永久磁石（１３）における磁束制限孔部（１４）に対向する面（Ｆｎ）を、軸方向（Ｌ）の端部側へ向かうに従って磁束制限孔部（１４）から離れる方向に傾斜させることで第１テーパ状部（Ｔ１）および第２テーパ状部（Ｔ２）を形成するため、一対の磁極面（Ｆｍ）の間隔を大きく確保し易い。そのため、第１テーパ状部（Ｔ１）および第２テーパ状部（Ｔ２）を形成したことによる永久磁石（１３）の磁力の低下を少なく抑えることができる。
【００５１】
また、
前記ロータコア（１１）は、厚み方向に貫通する孔部（１２ａ）を有する薄板（１１ａ）を前記軸方向（Ｌ）に複数枚積層して構成され、
前記磁石挿入孔（１２）は、複数の前記孔部（１２ａ）が前記軸方向（Ｌ）に並んで構成されていると好適である。
【００５２】
本構成によれば、積層された複数枚の薄板（１１ａ）のそれぞれにおいて孔部（１２ａ）を形成している面が軸方向（Ｌ）に複数並ぶことによって磁石挿入孔（１２）の内面（１２Ｆ）が形成されため、磁石挿入孔（１２）の内面（１２Ｆ）には、軸方向（Ｌ）に沿って複数の凹凸が形成される。従って、磁石挿入孔（１２）の内面（１２Ｆ）の凹凸に適合した形状となった充填樹脂（３）が、磁石挿入孔（１２）の内面（１２Ｆ）に対して軸方向（Ｌ）に相対移動することを規制できる。従って、本構成によれば、永久磁石（１３）をロータコア（１１）の磁石挿入孔（１２）内に保持する保持力をより適切に確保することができる。
【００５３】
また、
前記第１テーパ状部（Ｔ１）および前記第２テーパ状部（Ｔ２）のそれぞれの外面（１３Ｆ）を形成するテーパ面（Ｆｔ）の法線（Ｌｔ）が前記軸方向（Ｌ）に対してなす角度（θｔ）が、４５°より大きいと好適である。
【００５４】
本構成によれば、永久磁石（１３）に軸方向（Ｌ）の力（Ｆ）が作用した場合に、テーパ状部の外面（１３Ｆ）と磁石挿入孔（１２）の内面（１２Ｆ）との間において充填樹脂（３）に作用する圧縮力（ｆｃ）に占める軸方向（Ｌ）の力の割合を、軸方向（Ｌ）に直交する方向の力よりも少なくすることができる。そのため、充填樹脂（３）が永久磁石（１３）から受ける軸方向（Ｌ）の力（Ｆ）によって塑性変形したり破断したりする可能性を低減できる。従って、本構成によれば、永久磁石（１３）をロータコア（１１）の磁石挿入孔（１２）内に保持する保持力を適切に確保することができる。
【産業上の利用可能性】
【００５５】
本開示に係る技術は、回転電機用ロータに利用することができる。
【符号の説明】
【００５６】
１      ：回転電機用ロータ
２      ：ステータ
３      ：充填樹脂
１１    ：ロータコア
１１ａ  ：薄板
１２    ：磁石挿入孔
１２Ｆ  ：磁石挿入孔の内面
１２ａ  ：孔部
１３    ：永久磁石
１３Ｆ  ：永久磁石の外面
１４    ：磁束制限孔部
Ｆｍ    ：磁極面
Ｆｎ    ：非磁極面
Ｆｔ    ：テーパ面
Ｌ      ：軸方向
Ｌ１    ：軸方向第１側
Ｌ２    ：軸方向第２側
Ｌｔ    ：法線
Ｔ１    ：第１テーパ状部
Ｔ２    ：第２テーパ状部
θｔ    ：テーパ角（テーパ面の法線が軸方向に対してなす角度）
【図１】
2020129872.tif 000003
【図２】
2020129872.tif 000004
【図３】
2020129872.tif 000005
【図４】
2020129872.tif 000006
【図５】
2020129872.tif 000007
【図６】
2020129872.tif 000008